(57)【要約】【課題】  携帯シートコップを略平面化し、容易にバッグやポケットなどに収納でき、使用する時に指などが携帯シートコップのシートの内面に触れず、ワンタッチ操作で容易にテーブルなどの上に置くことができ、また、繰り返し使用できる衛生的な支持脚つき携帯シートコップを得る。【解決手段】  対向する携帯シートコップのシート面により略三角形の断面を構成するように開閉する支持脚を携帯シートコップの前後のいずれか一方、あるいは、両方のシート面に設けてなる、あるいは、携帯シートコップの前後だけではなく左右にも開閉する支持脚を設けてなることにより開いた支持脚により携帯シートコップを支持して、支持脚つき携帯シートコップを、より安定してテーブルなどの上に置いたり、支持脚つき携帯シートコップを折りたたんで略平面化し、より凹凸になることなくバッグやポケットなどに容易に収納できる構成を得る。【選択図】      図１３
2005096858.tif 000002
【特許請求の範囲】
【請求項１】
上部が開口されてなり、該上部を除く周囲が一体化されてなる携帯シートコップに開閉する支持脚を設けてなることを特徴とする支持脚つき携帯シートコップ。
【請求項２】
該開閉する支持脚の開閉方向の向きが携帯シートコップの前後方向であることを特徴とする請求項１記載の支持脚つき携帯シートコップ。
【請求項３】
該表シートと該裏シートのいずれか一方のシート面に該支持脚を設けてなることを特徴とする請求項１と２記載の支持脚つき携帯シートコップ。
【請求項４】
該表シートと該裏シートの両方のシート面に該支持脚を設けてなることを特徴とする請求項１と２記載の支持脚つき携帯シートコップ。
【請求項５】
該支持脚が略縦方向に延在し、該支持脚の上部と下部が対向する携帯シートコップのシート面と一体化してなり、該支持脚に最も外側の折り目と最も内側の折り目を有し、該支持脚の最も外側の折り目を外方向に突出させ、また、該支持脚の最も内側の折り目を略直線化することで、該支持脚と対向する該携帯シートコップのシート面により略三角形の断面を構成して該支持脚を開いて、開いた該支持脚により該携帯シートコップを支持し、一方、各折り目を折りたたんだ時、略平面化する形態であることを特徴とする請求項1〜４記載の支持脚つき携帯シートコップ。
【請求項６】
該支持脚の設置位置が該携帯シートコップのシート面の幅方向の略中央であることを特徴とする請求項１〜５記載の支持脚つき携帯シートコップ。
【請求項７】
該携帯シートコップの前後だけではなく左右にも開閉する支持脚を設けてなることを特徴とする請求項１と２及び請求項４〜６記載の支持脚つき携帯シートコップ。
【発明の詳細な説明】
【技術分野】
【０００１】
従来の折りたたみできるシートコップは、複数の折り目すなわち稜線が交差したり大きく屈曲したりする折り目の部分に応力が集中するため、繰り返し大きく屈曲させて使用すると、その部分で早期に破けてしまう短所があった。
【０００２】
この改善として、本発明では、その交差する部分やその他の大きく屈曲する部分がなく、折りたたんで略平面化できる携帯シートコップと支持脚を有する携帯シートコップの技術分野に係わる。
【背景技術】
【０００３】
【特許文献１】実開平５−３４１１３号
【特許文献２】登録実用新案第３０３０８３２号
【特許文献３】登録実用新案第３０４６０１３号
【特許文献４】登録実用新案第３０２４６４３号
【特許文献５】特開２０００−１６５号
【特許文献６】特開平９−５０００４４号
【０００４】
特許文献１においては、折りたたみできない円形状の底部がある筒状の形態であり、一個でも大きな容積を有し、バッグやポケットなどに入れると、その部分が突出してしまうため、携帯としては適さない。
【０００５】
特許文献２においては、この方式をシートコップに適用すると、オレンジ状のくぼみを底部としてなるが、複雑な形状を経過しながらコップ化したり略平面化したりする。
そのため、水を入れてゆくにつれて、設計した正規の底の形態に至るまでの間、水の重みのため、繰り返し使用すると、底部が複雑に屈曲してしまい、シートの表面が撥水処理された紙にすると、撥水処理されたシートの表面が剥がれて、入っている水が紙に浸透し、底部がより破れやすくなる。
そのことを防止し、併せて剛性を有するシートコップとするために、そのシートを樹脂製のフィルム材にすると、その製造方式から縁部が鋭利となり、その縁部で唇を切りやすくなる短所を有する。
よって、現在は、フィルム材からなる液体や粉末商品の詰め替え用の袋などとして企業などで製造販売されている。
【０００６】
特許文献３においては、底部が略平面でなく、また、シートコップを支持する手段もないことから、テーブルなどの上に置くことができない短所がある。
【０００７】
特許文献４においては、底部が略平面でないため、テーブルなどの上に置くことができない短所がある。
【０００８】
特許文献５では、明細書において、シート面に屈曲する稜線１６、稜線１８と２本の稜線１２、稜線１９を内側に折り曲げて折りたたむ構成も開示されている。この複数の稜線の交差する部分やそれらの稜線では、大きな角度の屈曲を受けながら繰り返し使用されるため、早期にその部分で破れやすい。
ここで、稜線は、折り目と同じことを意味する。
【０００９】
また、初期の略四角形に近い形態に戻すためには、手や指などで飲み口すなわち開口部を開いて、シートコップのシートの内面に指などを入れてシートコップのシートの内面を触りながら、開口部すなわち飲み口の形状を整える必要がある。よって、シートコップのシートの内面に手などについた、例えば、サーズウィルスなどのウィルスが付着する可能性があり、非衛生的である。また、ワンタッチ操作で折りたたみと立体化すなわちコップ化ができない。
【００１０】
特許文献６においては、底部を内側に折ってなり、支持脚もなく、本発明と形態を異にする。
【発明の開示】
【発明が解決しようとする課題】
【００１１】
解決しようとする課題は、現在の一般に市販されているシートコップが筒状で底部が円形の形態であり、一個でも大きな容積を有するため、携帯としては適さないこと。また、シートコップを２箇所より多い複数の折り目の重なる折りたたみ式にすると、繰り返し何回も大きな屈曲を受けることになり、繰り返し大きく交差したり折りたたまれたりする複数の折り目の重なる部分においては、早期にしわが発生し、シートの表面の撥水処理された部分が剥がれ、水を含み易くなることから水漏れを起こし、早期に破損して使用できなくなる。
【００１２】
前記の先行特許に開示されているように、支持脚を用いている形態の技術の開示もない。よって、ワンタッチ操作で折りたたんで略平面化したりコップ化することを容易とし、また、長期間に渡り何度でも繰り返し使用しても破損しない、折りたたみできる支持脚つき携帯シートコップを得る。
【課題を解決するための手段】
【００１３】
上部が開口されてなり、該上部を除く周囲が一体化されてなる携帯シートコップに開閉する支持脚を設けてなることを特徴とする。
【００１４】
該開閉する支持脚の開閉方向の向きが携帯シートコップの前後方向であることを特徴とする。
【００１５】
該表シート１ａと該裏シート１ｂのいずれか一方のシート面に該支持脚２を設けてなることを特徴とする。
【００１６】
該表シート１ａと該裏シート１ｂの両方のシート面に該支持脚２を設けてなることを特徴とする。
【００１７】
該支持脚が略縦方向に延在し、該支持脚の上部と下部が対向する携帯シートコップのシート面と一体化してなり、該支持脚に最も外側の折り目と最も内側の折り目を有し、該支持脚の最も外側の折り目を外方向に突出させ、また、該支持脚の最も内側の折り目を略直線化することで、該支持脚と対向する該携帯シートコップのシート面により略三角形の断面を構成して該支持脚を開いて、開いた該支持脚により該携帯シートコップを支持し、一方、各折り目を折りたたんだ時、略平面化する形態であることを特徴とする。
【００１８】
該支持脚の設置位置が該携帯シートコップのシート面の幅方向の略中央であることを特徴とする。
【００１９】
該携帯シートコップの前後だけではなく左右にも開閉する支持脚を設けてなることを特徴とする。
【発明の効果】
【００２０】
上部が開口されてなり、該上部を除く周囲が一体化されてなる携帯シートコップに開閉する支持脚を設けてなることにより
支持脚が閉じた時、携帯シートコップをコンパクト化でき、また、使用する時は、両側の折り目を同時に開き支持脚も開いて、水などの液体を入れたまま、開いた支持脚により携帯シートコップを支持して、支持脚つき携帯シートコップをテーブルなどの上に置くことができる。
【００２１】
該開閉する支持脚の開閉方向の向きが携帯シートコップの前後方向であることにより
支持脚の接地長さや幅が長くなり、安定して支持脚つき携帯シートコップをテーブルなどの上に置くことができる。
【００２２】
また、携帯シートコップのシートの内面に指などを触れることなく、携帯シートコップを握るだけで上部の開口部を開くことができ、水などの液体が携帯シートコップに入り、携帯シートコップが膨らんでも、倒れないように開いた支持脚により携帯シートコップを支持できる。
【００２３】
また、繰り返し大きく屈曲を受ける交差する部分や折り目の部分をほぼ排除でき、よって、何度でも繰り返しコップとして使用できる。
【００２４】
該表シート１ａと該裏シート１ｂのいずれか一方のシート面に該支持脚を設けてなることにより
両方のシート面に支持脚を設けた時に比べて工数が減り、コストを下げることができる。
【００２５】
該携帯シートコップの前後だけではなく左右にも開閉する支持脚を設けてなることにより
３６０度方向から開いた支持脚により携帯シートコップを支持し、支持脚つき携帯シートコップをテーブルなどの上に接地できる。
そのため、より安定して支持脚つき携帯シートコップをテーブルなどの上に置け、何かが当たったとしても、支持脚つき携帯シートコップが倒れることを容易に回避することができる。
また、図９、図１０、図１３、図１４で示すように、左右の支持脚を携帯シートコップの下部に接合などにより一体化してもよい。更に、この時、左右の支持脚のシート面の幅方向の略中央上部近傍を接合などにより一体化し、また、予め左右の支持脚の両側にのりしろを設け、その左右の支持脚の両側にあるのりしろを設けた部分を、まず、内側に折り込み、次に、そののりしろを外側に折り返してのりしろをつくり、そののりしろを外側に折り返したまま、そののりしろを携帯シートコップの下部に接合などにより一体化し、左右の支持脚の全体を２枚重ねにすることにより左右の支持脚の強度を高めてもよい。
これにより、すべての支持脚は上下方向にクッションの役目を果たす機能を有するため、前後左右の支持脚がより均等に設置面に設置し、開いた支持脚により携帯シートコップを支持することができる。
【００２６】
また、いずれの場合も、構成がシンプルであることから安価であり、よって、一回ないし数回の使用でためらわずに捨てることができる。
【００２７】
また、公園などで湧き水などを飲む時、あるいは、ジュース類などを分けて飲む時などにコップが用意されていない場所でも、本発明の支持脚つき携帯シートコップに水などの液体を入れて、置いたり飲んだりすることが容易にできる。
【００２８】
また、洗面台があれば、洗面台に安定して置き、ヒゲそりなどの別な作業もできる。また、人と会う前の口臭消し、あるいは、うがいや薬などを飲む時などに携帯して使える。
【００２９】
使用した後、使わない時は、支持脚つき携帯シートコップを折りたたんで略平面化し、バッグやポケットなどに収納しておくことができる。
【００３０】
該携帯シートコップは、表面が撥水処理や抗菌処理された紙、あるいは、プラスチックなどの樹脂などからなるシートなどからなり、市販されている紙容器並の強度や硬度を有するシートからなる。これにより、本発明の支持脚つき携帯シートコップを繰り返し使用しても複雑な屈曲線が交差する部分がないため、折り目の部分が破損したり、その部分から水などの液体がしみ込み、破れてゆくことを防止できる。
ここで、屈曲線は、折り目と同じものとする。
【００３１】
該支持脚２が略縦方向に延在し、該支持脚の上部と下部が対向する携帯シートコップのシート面と一体化してなり、該支持脚に最も外側の折り目と最も内側の折り目を有してなる。
前記一体化手段は、図１〜図８までに示すように、該支持脚の上部と下部近傍において、表から携帯シートコップのシートの表面に貼り合わせる形態としてもよく、あるいは、図９〜図１４までに示すように、該支持脚の上部と下部近傍を内側に屈曲させて携帯シートコップのシート面と貼り合わせる形態としてもよい。これにより、美観に優れるだけではなく、支持脚のバランスが整い、安定性がより向上する。
使用する時は、支持脚を開いて使用する。支持脚の開き方は、該支持脚２の最も外側の折り目２ａを外方向に突出させ、また、該支持脚２の最も内側の折り目２ｂを略直線化することで、該支持脚と対向する該携帯シートコップのシート面により剛性の高い略三角形の断面を構成してなる。そして、開いた該支持脚により該携帯シートコップをしっかりと支持する。一方、該支持脚は、各折り目を折りたたんだ時、略平面化することができる。
【００３２】
一方、図５、図８、図１１で示すように、支持脚の各折り目を折り込み、携帯シートコップを略平面化した時、全体が薄くなり、携帯に適する。
また、該支持脚が該携帯シートコップのシート面の幅方向の略中央であることにより、更に、左右のバランスが整い、安定して支持脚つき携帯シートコップをテーブルなどの上に置くことができる。
【発明を実施するための最良の形態】
【００３３】
本発明の実施例を各図を参照して説明する。
【実施例】
【００３４】
各図で示す携帯シートコップや支持脚などの厚さは判り易くするため、現品より厚く描画してなり、支持脚つき携帯シートコップの容器部分を携帯シートコップ１とする。
【００３５】
本発明の支持脚つき携帯シートコップのシートの材質は、表面が撥水処理や抗菌処理された紙、あるいは、プラスチックなどの樹脂などからなり、水などの液体を入れて握った時、水などの液体の重みがあっても、たわんだりへこんだりして、つかんでいる手から落下することのない、市販されている紙容器並の強度や硬度のあるものを選ぶ。
【００３６】
本実施例においては、携帯シートコップは、対向する一対の表シート１ａと裏シート１ｂ及び底辺１ｃと左辺１ｄ及び右辺１ｅを有する略四角形の袋状の形態の容器である。
【００３７】
携帯する時は、携帯シートコップや支持脚を折りたたんで略平面化し、バッグやポケットなどに入れる。
携帯シートコップ１の作成法としては、一枚のシートを押しつぶして略平面化した紙容器や封筒形式に折りたたんで、のりしろなどをシール、あるいは、テープなどで接合などにより一体化する方式で表シート１ａと裏シート１ｂ及び底辺１ｃを形成してもよい。これにより、大きい角度などで繰り返し屈曲を受ける交差する部分や折り目の部分がないため、早期に破れることを防止できる構成となる。
【００３８】
実施例においては、該開閉する支持脚の開閉方向の向きは携帯シートコップの前後方向である。
支持脚の上部と下部は接合などにより携帯シートコップ１と一体化してなる。
本発明では、支持脚つき携帯シートコップの縦断面が略四角形を構成してなる。
上部の開口部を除く周囲は折りたたんだり接合したりして一体化してなる。具体的には、携帯シートコップの対向する一対の略四角形の表シートと裏シートの上部が開口されてなり、該上部を除く周囲が一体化されてなる携帯シートコップであり、上記のような作成法で、対向する一対の表シート１ａと裏シート１ｂ及び底辺１ｃと左辺１ｄ及び右辺１ｅを得、また、上部が開口されてなる略四角形の携帯シートコップの表裏に支持脚２を設けてなる。
図１、図２、図５、図８、図９、図１０、図１１は、支持脚が略閉じて、携帯シートコップも略閉じて、略平面化している時の図であり、図３、図４、図６、図７、図１２、図１３、図１４は、左右の矢印方向などから指などでつまむことにより支持脚が開いて、携帯シートコップも開口して、開いた支持脚により携帯シートコップを支持している時の図である。
【００３９】
他の実施例としては、図７と図８で示すように、該表シート１ａと該裏シート１ｂのいずれか一方のシート面に該支持脚を設ける。
また、図７で示すように、支持脚の上部を携帯シートコップのできるだけ上方のシート面と接合などにより一体化してもよい。
【００４０】
あるいは、図示しないが、シートの上部の幅方向の略中央において、支持脚の幅で下方に折り曲げ、接合などにより一体化の形態をなす支持脚としてもよい。
【００４１】
また、図７は、表シート１ａと裏シート１ｂが長方形などの略四角形であり、支持脚が開いて、開いた支持脚により携帯シートコップを支持している時の図である。
【００４２】
あるいは、図１〜図６、図９〜図１４までに示すように、該表シート１ａと該裏シート１ｂの両方のシート面に一対の該支持脚を設けて構成してもよい。
【００４３】
また、各図で示すように、支持脚の形態は、該携帯シートコップのシート面の幅方向の略中央において、略縦方向に延在し、該支持脚２の上部２ｃと下部２ｄが対向する携帯シートコップ１のシート面とそれぞれ一体化してなり、支持脚２に最も外側の折り目２ａと最も内側の折り目２ｂを含む２箇所以上の横方向の折り目を設けてなる。
該支持脚２の上部２ｃと下部２ｄは、図１１と図１２で示すように、内側に屈曲させて、該支持脚２の上部２ｃと下部２ｄを対向する携帯シートコップ１のシート面とそれぞれ接合などにより一体化させてもよい。
【００４４】
該支持脚２の最も外側の折り目２ａと最も内側の折り目２ｂの間の横方向の折り目は、多数設けてもよいが、そのことは必須要件ではない。
【００４５】
携帯シートコップを使用する時は、支持脚２の最も外側の折り目２ａを外方向に突出させて支持脚を開いて、開いた該支持脚と対向する該携帯シートコップのシート面により剛性の高い略三角形の断面を構成して、開いた該支持脚により該携帯シートコップを支持してなる。
【００４６】
図７と図８で示すように、水などの液体を入れた支持脚つき携帯シートコップを該携帯シートコップのシート面と略三角形の断面をなす支持脚の方向に若干斜めに寄りかかるようにしてテーブルなどの上に置く。
この時、重心が底辺１ｃと支持脚２の最も外側の折り目２ａの間に位置するように支持脚を設計する。そのことは当業者であれば容易である。
【００４７】
また、各図で示すように、接合などにより一体化する部分の折り目を除いて、支持脚２に最も外側の折り目２ａと最も内側の折り目２ｂの２箇所の折り目のみを有することで、本発明の支持脚を最もシンプルな構成とすることができる。
また、図６と図１２で示すように、水などの液体を入れた時、支持脚２の最も内側の折り目２ｂが略直線状となり、同時に、支持脚２の最も外側の折り目２ａが外方向に開いて、支持脚２の最も外側の折り目２ａと携帯シートコップの対向するシート面により略三角形の断面を構成して剛性を高めて、倒れないように開いた支持脚により携帯シートコップを支持する。
すなわち、支持脚を開いて、開いた支持脚により携帯シートコップを支持し、支持脚つき携帯シートコップを略水平なテーブルなどの上に略垂直に立てて置くことができる。
【００４８】
一方、略平面化する時は、支持脚２の最も外側の折り目２ａと最も内側の折り目２ｂをそれぞれ屈曲させて、該携帯シートコップの該表シート及び該裏シートと略平行にして略密着させた時に、該携帯シートコップを略平面化でき、支持脚つき携帯シートコップを折りたたんでバッグやポケットなどに入れる時、より凹凸になることなく容易に収納できる形態となる。
【００４９】
図９、図１０、図１３、図１４で示すように、更に、左右に支持脚３ａと支持脚３ｂを設け、左右の矢印方向などから指などでつまんで図の形態とすることにより左右から大きな力が作用しても、より倒れにくくなり、結果として、３６０度方向のいずれかの方向から大きな力を受けても、開いた支持脚により携帯シートコップを支持できる形態としてもよい。
【００５０】
また、この時、左右の支持脚のシート面の幅方向の略中央上部近傍を接合などにより一体化し、また、予め左右の支持脚の両側にのりしろを設け、その左右の支持脚の両側にあるのりしろを設けた部分を、まず、内側に折り込み、次に、そののりしろを外側に折り返してのりしろをつくり、そののりしろを外側に折り返したまま、そののりしろを携帯シートコップの下部に接合などにより一体化し、左右の支持脚の全体を２枚重ねにすることにより左右の支持脚の強度を高めてもよい。
【００５１】
従来の折りたたみできるシートコップは、２箇所より多い折り目からなる交差する部分を有すると、繰り返し折り返して使用する時、その交差する部分に応力が集中して早期に破れ易い短所があるが、本発明の支持脚つき携帯シートコップは、複数の折り目の重なる繰り返し大きく屈曲し交差する部分がないことから、長期間に渡り繰り返し使用できる。
【００５２】
いずれの場合も、携帯シートコップのシートの内面に指などを入れて携帯シートコップのシートの内面を触りながら、飲み口すなわち開口部の形状を整える必要がないので、携帯シートコップの内面に指などが触れることなく、携帯シートコップを握るだけで開口部を構成でき、よって、手などについた、例えば、サーズウィルスなどのウィルスが携帯シートコップのシートの内面に付着することを防止でき、衛生的に扱える。
【００５３】
本発明の活用例としては、支持脚つき携帯シートコップを折りたたんでバッグやポケットなどに突出、あるいは、より凸凹になることなくスムーズに入れて保管し、インフルエンザが流行する季節などに、うがいをする時、あるいは、洗面所で薬などを飲む時、あるいは、旅行先で使用する時などのために常に携帯して使用することができる。
【産業上の利用可能性】
【００５４】
本発明は、略平面化すなわち略扁平な形態として折りたたみできることから、バッグやポケットなどにビニール袋などに入れた形態で手帳のように収納できる支持脚つき携帯シートコップとして利用できる。
【図面の簡単な説明】
【００５５】
【図１】一対の支持脚を閉じた時の外観図である。
【図２】一対の支持脚を閉じた時の正面図である。
【図３】一対の支持脚を開いた時の外観図である。
【図４】一対の支持脚を開いた時の正面図である。
【図５】一対の支持脚を開いている途中の縦断面図である。
【図６】開いた支持脚により支持している携帯シートコップに水などの液体を入れた時の縦断面図である。
【図７】一個の支持脚で斜めに携帯シートコップを支持している時の外観図である。
【図８】一個の支持脚を閉じた時の縦断面図である。
【図９】前後だけではなく左右にも開閉する支持脚を設けた形態において、前後左右の支持脚を閉じた時の外観図である。
【図１０】前後だけではなく左右にも開閉する支持脚を設けた形態において、前後左右の支持脚を閉じた時の正面図である。
【図１１】一対の支持脚の上部と下部近傍を内側に屈曲させて接合などにより一体化した形態において、一対の支持脚を閉じた時の縦断面図である。
【図１２】一対の支持脚の上部と下部近傍を内側に屈曲させて接合などにより一体化した形態において、一対の支持脚を開いた時の縦断面図である。
【図１３】前後だけではなく左右にも開閉する支持脚を設けた形態において、前後左右の支持脚を開いた時の外観図である。
【図１４】前後だけではなく左右にも開閉する支持脚を設けた形態において、前後左右の支持脚を開いた時の正面図である。
【符号の説明】
【００５６】
１    携帯シートコップの容器部分
１ａ  表シート
１ｂ  裏シート
１ｃ  底辺  
１ｄ  左辺    
１ｅ  右辺
２    支持脚
２ａ  最も外側の折り目
２ｂ  最も内側の折り目
２ｃ  支持脚の上部
２ｄ  支持脚の下部
３ａ  左側の支持脚
３ｂ  右側の支持脚
【図１】
2005096858.tif 000003
【図２】
2005096858.tif 000004
【図３】
2005096858.tif 000005
【図４】
2005096858.tif 000006
【図５】
2005096858.tif 000007
【図６】
2005096858.tif 000008
【図７】
2005096858.tif 000009
【図８】
2005096858.tif 000010
【図９】
2005096858.tif 000011
【図１０】
2005096858.tif 000012
【図１１】
2005096858.tif 000013
【図１２】
2005096858.tif 000014
【図１３】
2005096858.tif 000015
【図１４】
2005096858.tif 000016